(57)【特許請求の範囲】
【請求項１】
夫々は先部にアンテナ取付部を備えると共に元部に支持杆取付部を備えている複数のアームと、それらのアームの支持杆取付部と支持杆を結合する為の結合具とから成るアンテナ支持具において、上記結合具は、支持杆に対する連結部を有する本体と、夫々上記本体から側方に延び、各々は上記支持杆取付部を乗せる為の受面を備えている複数の受部材とから成り、上記各受部材の受面又は上記各アームの支持杆取付部において上記受面に乗せる為の乗載面には、元部の側面に凹部を備える浮止部材を突設し、上記乗載面又は上記受面には、上記浮止部材との連結の為の連結孔を設けて、上記浮止部材が上記連結孔に挿通する状態で上記受面に上記乗載面を乗せ、支持杆取付部を受面に沿ってずらすことにより、上記連結孔の孔縁が上記凹部に入って、支持杆取付部が受部材に仮止めされるようにしたことを特徴とするアンテナ支持具。
【発明の詳細な説明】
【０００１】
【発明の属する技術分野】
本発明は複数のアンテナを支持する為のアンテナ支持具に関する。
【０００２】
【従来の技術】
夫々先部にアンテナ取付部を備えている２本のアームは、その元部に支柱に対する添え片を備えている。各アームの添え片を支柱の一方側と他方側とに夫々沿わせる。そして一方の添え片、支柱、他方の添え片の順にボルトを差し通し、ナットで締め付けることにより、２本のアームを支柱に固定するようにしている（例えば実開昭５２−１６６４３８号公報参照）。
【０００３】
このようなものは、二つのアンテナを設置しようとする場合、アンテナ支持用の上記２本のアームを支柱の両側に対称的に取り付けることが出来るので、それらの先部に取り付けるアンテナ相互の位置関係が一定に定まる特長がある。
【０００４】
【発明が解決しようとする課題】
しかしこの従来のアンテナ支持具では、上記取り付け作業の場合、上記２本のアームを夫々手で持ち、夫々のアームにおける添え片を支柱の両側に沿わせる。そしてその状態を保持したまま、上記ボルトを差し通してナット締めを行わねばならぬ。これらの作業を一人で行うことは困難で、複数人の作業員を必要とする問題点があった。又上記アームの保持の為に作業員に不安定な姿勢を強いる為、特に高所での取り付け作業の場合には非常に危険であるという問題点があった。
【０００５】
本願発明のアンテナ支持具は上記従来技術の問題点を解決する為に提供するものである。
本願発明の目的は、アンテナ支持用の複数のアームを備えていて、複数のアンテナを所定の位置関係に設置することが出来るアンテナ支持具を提供することである。
他の目的は、上記複数のアームの取り付け作業を一人の作業員で行うことを可能に出来るようにすることである。
他の目的は、複数のアームの夫々について個別に仮止めが出来るようにすることによって、高所での取り付け作業であってもそれを安全に行い得るようにすることである。
他の目的は、アームを受部材の受面に乗せ、その受面に沿ってちょっとずらすのみの極めて僅かな作業でもって、上記各アームを堅固に仮止め出来るようにすることである。
他の目的及び利点は図面及びそれに関連した以下の説明により容易に明らかになるであろう。
【０００６】
【課題を解決するための手段】
上記目的を達成する為に、本願発明におけるアンテナ支持具は、夫々は先部にアンテナ取付部を備えると共に元部に支持杆取付部を備えている複数のアームと、それらのアームの支持杆取付部と支持杆を結合する為の結合具とから成るアンテナ支持具において、上記結合具は、支持杆に対する連結部を有する本体と、夫々上記本体から側方に延び、各々は上記支持杆取付部を乗せる為の受面を備えている複数の受部材とから成り、上記各受部材の受面又は上記各アームの支持杆取付部において上記受面に乗せる為の乗載面には、元部の側面に凹部を備える浮止部材を突設し、上記乗載面又は上記受面には、上記浮止部材を挿通させる為の連結孔を設けて、上記浮止部材が上記連結孔に挿通する状態で上記受面に上記乗載面を乗せ、支持杆取付部を受面に沿ってずらすことにより、上記連結孔の孔縁が上記凹部に入って、支持杆取付部が受部材に仮止めされるようにしたものである。
【０００７】
【発明の実施の形態】
以下本願発明の実施の形態を示す図面について説明する。アンテナの設置状態を示す図１において、Ａは支持杆で、アンテナを支持する為のベースとなる部材であり、支柱（マストとも呼ばれる）を例示する。Ｂは複数のアンテナを所定の位置関係に支持する為のアンテナ支持具、Ｃは上記支持具Ｂによって支持されたアンテナを夫々示す。支持杆Ａは、アンテナの設置状態において人の頭が支持具ＢやアンテナＣに当ったりすることがないように出来る高さが選ばれ、例えば１．８ｍ或いはそれ以上の高さであったり、ビルの側壁１ａから側方に突出するアームであったりする。１はアンテナの設置場所として例示する建物の屋上の床面、２はそこに備えた基礎で、コンクリート製の台を示す。３は支柱Ａの下端に備えたベース、４はベース３を上記台２に取付ける為のボルトを示す。
【０００８】
次にアンテナ支持具Ｂは、その流通過程や設置の為の運搬時の嵩張りを小さくする為に、相互に別体となった複数のアームＢ１と結合具Ｂ２とにより構成している。複数のアームＢ１は夫々アンテナＣを相互に離間させた状態で支える為のもので、その離間の為の長さ例えば６０ｃｍを有するものであり、結合具Ｂ２はそれらのアームＢ１を支柱Ａに結合させる為のものである。各アームＢ１におけるＢ１１はアンテナの取付を行う為のアンテナ取付部を示し、Ｂ１２は支持杆に対する取付を行う為の支持杆取付部を示す。これらは上記のようにアンテナＣを相互に離間させる為に、アームＢ１の一方の端部と他方の端部に夫々設けている。支持杆取付部Ｂ１２はアームＢ１の支持の根本側となる為、後者の端部を元部とも呼び、前者の端部を先部とも呼ぶ。上記アームＢ１は軽量化及びアンテナＣの重量に耐える為に例えばアルミのパイプで形成している。Ｂ２１は結合具Ｂ２におけるベースとなる本体、Ｂ２２は各アームＢ１の支持杆取付部Ｂ１２を取り付ける為の受部材を夫々示す。受部材Ｂ２２はアームＢ１を横臥状態に支持できるようにする為に本体Ｂ２１から側方に延びる状態に設けている。符号Ｂ２２’が本体Ｂ２１に対する受部材Ｂ２２の付け根を示す。又受部材Ｂ２２は、複数（この例では四つ）のアームＢ１を相互に等角度間隔（この例では９０゜）の位置関係で固定する為に、四つの受部材Ｂ２２を相互に等角度間隔（この例では９０゜）の位置関係で備えさせている。これら本体Ｂ２１及び受部材Ｂ２２は、製造の手間数を少なくする為に例えばアルミダイカストで一体に形成した例を示すが、別体に形成し、後の工程で一体化しても良い。
【０００９】
上記本体Ｂ２１について図２に基づき説明する。６は支持杆Ａに対するしっかりとした固定を行う為の連結部で、例えばパラボラアンテナの支持具において周知の支柱取付部の構造を例示する。即ち、７は支柱の差込孔、８は差込孔の周壁の一部に穿設したねじ孔、９はねじ孔８に螺合させた固定用のボルトである。１０は避雷針の取付のためのねじ孔、１１は避雷針の不使用時に上記ねじ孔１０を塞いでおくための栓である。図３における１２は、アームＢ１における支持杆取付部Ｂ１２を位置決する為の受止面を示し、アームＢ１の端面の受止の為に上記付け根Ｂ２２’から後述の受面１６とは交差する状態（例えば垂直）に立ち上がる面に形成している。
【００１０】
上記受部材Ｂ２２について図３及び図４に基づき説明する。１６はアームＢ１の支持杆取付部Ｂ１２をその取付の為に乗せる受面で、アームＢ１をぐらつくことなく固定できるようにする為に平坦面に形成している。１７はアームを固着する為のねじ孔である。１８はアームＢ１を仮止めする為に受面１６から突設させた浮止部材を示し、元部の側面には後述する結合孔の孔縁をその嵌合の為に入り込ませる為の凹部１９を備える。上記浮止部材１８は受面１６から突設させた嵌合片１８ａとその上端から側方に張り出す状態となるよう嵌合片１８よりも太径に形成した浮止片１８ｂとから構成しており、嵌合片１８ａの周囲が上記凹部１９となるようにしている。上記浮止部材１８は受部材Ｂ２２と一体形成する例を示すが、該部材１８としては小ねじを用い、その軸部を上記嵌合片として又頭部を上記浮止片として夫々利用しても良い。受部材Ｂ２２に対するその小ねじを利用した浮止部材１８の取付は、軸部の先を受部材Ｂ２２に穿設するねじ孔に螺合させればよい。２０は受部材Ｂ２２の補強部材を示す。
【００１１】
上記アームＢ１における支持杆取付部Ｂ１２について図３及び図４に基づき説明する。２４は受部材Ｂ２２の受面１６に乗せることによりその受面１６と重合状態となる乗載面を示し、受面１６に対応した面であるところの平坦面に形成している。２５は前記受止面１２と対峙させるようにした面であり、アームＢ１の元部側の端面をもって該対峙面としている。２７はボルト貫通用の透孔、２９は支持杆取付部Ｂ１２を受部材Ｂ２２に固定するためのボルトを夫々示す。端面２５と透孔２７との間隔は、後述の如き位置決のときに透孔２７とねじ孔１７とがぴったりと重合状態となるようにする為に、受止面１２とねじ孔１７との間隔と一致させてある。２８は上記浮止部材１８との連結の為の連結孔を示す。該連結孔２８は、上記浮止片１８ｂを通過させる為にそれよりも大きい径に形成した挿通孔２８ａと、上記嵌合片１８ａは嵌まり込むことが出来るが浮止片１８ｂは通り抜けることが出来ぬよう嵌合片１８ａの径よりも大きく浮止片１８ｂの径よりも小さい径に形成した嵌合孔２８ｂとから構成し、嵌合孔２８ｂは挿通孔２８ａに対して嵌合片１８ａが嵌合孔２８ｂと挿通孔２８ａとの間で移動できるように連通させている。端面２５と嵌合孔２８ｂとの間隔は、受止面１２と嵌合片１８ａとの間隔と一致させてある。
【００１２】
図３乃至図７に示す３１はボルト２９の締付力によって支持杆取付部Ｂ１２が潰れることを防止する為のスペーサで、支持杆取付部Ｂ１２の内部においてその上壁Ｂ１２ａと下壁Ｂ１２ｂとの間に介在させている。該スペーサ３１は硬質の合成樹脂製である。該スペーサ３１は上壁Ｂ１２ａと下壁Ｂ１２ｂとの間のつっかい棒として作用し、ボルト２９によって受部材Ｂ２２に支持杆取付部Ｂ１２を固定する場合に、上壁Ｂ１２ａ、スペーサ３１、下壁Ｂ１２ｂを一つの剛体として機能させる。従ってボルト２９を締めてもそのボルト頭２９ａによって支持杆取付部Ｂ１２の上壁Ｂ１２ａが潰されることはない。又ボルト２９の締付力を、支持杆取付部Ｂ１２を受部材Ｂ２２に固定する目的に充分に機能させることが出来る。尚３２はボルト２９の軸部２９ｂを貫通させる為の透孔である。３３はボルト２９がアームＢ１の透孔２７から抜け落ちることを防止する為の手段を示し、この例では、透孔３２の内周面がボルト２９の軸部２９ｂにおけるねじ山の先端に圧接することによってボルト２９の抜け落ちを防止するようにしている。３４はスペーサ３１の弾性変形、即ち上記内周面３３をボルト２９に圧接させる為の弾性変形を容易化する為に設けたスリットを示す。３５はスペーサ３１が浮止部材１８と干渉することを回避する為の透孔である。
【００１３】
上記支持杆取付部Ｂ１２は、アンテナの設置現場での作業を容易化する為に、メーカーでの製造の際に次のような状態まで組み立てておかれる。即ち、図７の状態からスペーサ３１をアームＢ１の内部に押し込む。ボルト２９は、その軸部２９ｂを上壁Ｂ１２ａの透孔２７を通して透孔３２内に圧入し、軸部２９ｂが下壁Ｂ１２ｂの透孔２７から突出せぬ位置まで差し込んでおかれる。
【００１４】
図１に示す３８はアンテナ取付部Ｂ１１に備えたアンテナ取付具である。次にアンテナＣは、例えば携帯電話用の電波の送受信を行うためのアンテナを示す。重量は例えば１ｋｇ程度である。該アンテナＣとしてはその他に、無線通信用、アマチュア無線用のアンテナなどがある。３９は信号伝送用のケーブルである。
【００１５】
次にアンテナ設置場所１でのアンテナＣの設置を説明する。設置場所１には予め台２が用意されている。アンテナの設置に当たっては、先ずそこに支柱Ａを固定する。固定状態は略鉛直である。次に結合具Ｂ２をその支柱Ａの先端に図２の如く取付ける。このとき支柱Ａを中心に結合具Ｂ２を回して、その受部材Ｂ２２が適正な方向に来るようにする。又この状態では受面１６は略水平となる。次に各アンテナＣに夫々ケーブル３９を接続し、それらのアンテナＣを各アームＢ１のアンテナ取付部Ｂ１１に夫々アンテナ取付具３８でもって取付ける。
【００１６】
次に上記結合具Ｂ２に対して、上記の各アームＢ１を夫々取付ける。その取付は以下の通りである。一つのアームＢ１を手に持ち、図４に示す状態から降ろして乗載面２４を一つの受部材Ｂ２２における受面１６に乗せる。この場合、浮止部材１８が挿通孔２８ａに挿通されるようにする。次にそのアームＢ１を受面１６に沿って本体Ｂ２１に向けてずらし、図５に示すように嵌合片１８ａを嵌合孔２８ｂに嵌合させる。この嵌合状態では、嵌合片１８ａは受部材Ｂ２２に対する支持杆取付部Ｂ１２の位置決部材として機能し、受部材Ｂ２２に対する支持杆取付部Ｂ１２の縦方向即ち図３の矢印Ｘ方向と横方向即ち矢印Ｙ方向の位置決がなされる。又本例の場合、上記嵌合状態では端面２５が受止面１２に当接するので、上記嵌合片１８ａを中心とするアームＢ１の水平回転方向の位置決がなされる。これらの位置決の結果、下壁Ｂ１２ｂの透孔２７はねじ孔１７に対して丁度重合する位置関係となる。尚上記嵌合片１８ａが嵌合孔２８ｂに嵌合した際に上記端面２５が受止面１２に当接していなくても、受部材Ｂ２２と支持杆取付部Ｂ１２とは同幅に形成しているので、それら両者の幅方向の縁部を相互に合わせることにより、上記ねじ孔１７と透孔２７との位置決を行うこともできる。
【００１７】
又上記のようにアームＢ１をずらすことにより受部材Ｂ２２に対してアームＢ１は仮止めされる。即ちアームＢ１を外から支える必要なく結合具Ｂ２に対するアームＢ１の結合状態を一時的に維持できる状態が達成される。その作用を説明する。嵌合片１８ａが嵌合孔２８ｂに嵌合すると、嵌合孔２８ｂの孔縁２８ｃは凹部１９に嵌合状態に入る。この状態では、アームＢ１はアンテナＣが取り付いている先部の側が重いため、アームＢ１から手を離すと、アームＢ１は先部の側が下がり、支持杆取付部Ｂ１２が浮き上がろうとするが、孔縁２８ｃの上側には浮止片１８ｂが位置している為、該浮止片１８ｂによって支持杆取付部Ｂ１２の浮き上がりが阻止される。即ちアームＢ１の仮止め状態が達成される。この場合、孔縁２８ｃが浮止片１８ｂに機械的に係合するので、仮止め状態は堅固であり、少々の風でアームＢ１が脱落することはない。
【００１８】
上記の状態となったならば、次に受部材Ｂ２２に対し支持杆取付部Ｂ１２の本固定を行う。例えばボルト２９によって受部材Ｂ２２に対する支持杆取付部Ｂ１２の固定を行う。この場合、上記のように位置決がなされている為、ボルト２９の軸部２９ｂをスムーズにねじ孔１７に進入させることが出来る。又上記のようにアームＢ１の仮止めがなされている為、アームＢ１を手で支える必要が無い。従って作業者は、片手で支柱Ａにつかまるなどして自身の身体を支え、他方の手で上記ボルト２９の操作を行えば良く、作業を安全に行うことが出来る。
【００１９】
上記のような作業を複数のアームＢ１について全て行う。それが済んだならば図１に示されるようにバインド部材４１でもってケーブル３９を周知の如く固定することにより、アンテナＣの設置作業が完了する。
【００２０】
次に実施形態の異なる例を説明する。上記各アームＢ１の固定用のボルト２９は１本でも良い。その場合には、該ボルト２９によって支持杆取付部Ｂ１２を受部材Ｂ２２に固定した状態では、嵌合孔２８ｂに嵌合する嵌合片１８ａが受部材Ｂ２２に対するアームＢ１の固定部材の一つとして機能し、ボルト２９を中心とするアームＢ１の回転を阻止する。
【００２１】
次に図８及び図９は、異なる実施形態を示すもので、支持杆取付部Ｂ１２ｅの乗載面２４ｅに浮止部材１８ｅを突設させ、受部材Ｂ２２ｅの受面１６ｅに連結孔２８ｅを設けた例を示すものである。尚４３は浮止片１８ｂｅとの干渉防止の為に補強部材２０ｅに形成した欠如部を示す。なお、機能上前図のものと同一又は均等の構成で説明が重複すると考えられる部分には、前図と同一の符号にアルファベットのｅを付して重複する説明を省略した。
【００２２】
【発明の効果】
以上のように本願発明にあっては、複数のアンテナＣを設置する場合、アンテナ支持用の複数のアームＢ１における各支持杆取付部Ｂ１２を、結合具Ｂ２に備わっている複数の受部材Ｂ２２に夫々取付けることによって、それらのアームＢ１が一定の位置関係で配列され、それらのアームＢ１に夫々取付けるアンテナＣを所定の位置関係に配列できる特長がある。
しかも上記複数のアームＢ１の取付の場合、各アームＢ１は夫々の元部の支持杆取付部Ｂ１２を結合具Ｂ２における受部材Ｂ２２に夫々個別に取り付ければよいので、一つずつ取付を行いうる特長がある。このことは、上記取り付け作業を一人の作業員で行うことを可能に出来る効果がある。
しかも上記アームＢ１の取付の場合、浮止部材１８が連結孔２８に挿通する状態で受面１６に乗載面２４を乗せ、支持杆取付部Ｂ１２を受面１６に沿ってずらすことにより、アームＢ１を受部材Ｂ２２に仮止め状態に出来る特長がある。このことは、受部材Ｂ２２に対してアームＢ１の支持杆取付部Ｂ１２を本固定する場合、アームＢ１を別途支えたりする必要がないので、たとえ高所での取付であっても、その作業を安全に行うことを可能に出来る効果がある。
更に上記の如き仮止め状態にする場合、上記のように支持杆取付部Ｂ１２を受面１６に沿ってずらすと、上記連結孔２８の孔縁２８ｃが浮止部材１８の元部の凹部１９に入って支持杆取付部Ｂ１２が受部材Ｂ２２に仮止めされるので、僅かな作業でもって上記各アームＢ１を堅固に仮止め出来、例えば風がふく現場においても仮止め状態のアームＢ１が誤って落下したりすることなく、アームＢ１の取付作業を順調に進められる効果がある。
【図面の簡単な説明】
【図１】アンテナの設置状態を示す斜視図。
【図２】支柱に対する連結部を示す縦断面図。
【図３】受部材と支持杆取付部とを示す斜視図。
【図４】受部材に対する支持杆取付部の取り付け途中の状態を示す縦断面図。
【図５】受部材に対する支持杆取付部の仮止め状態を示す縦断面図。
【図６】図５のＶＩ−ＶＩ線位置の断面図。
【図７】支持杆取付部の分解斜視図。
【図８】異なる実施形態を示す図３と同様の図。
【図９】図８の受部材の一部破断側面図。
【符号の説明】
Ｂ１  アーム
Ｂ１１  アンテナ取付部
Ｂ１２  支持杆取付部
Ｂ２  結合具
Ｂ２１  本体
Ｂ２２  受部材
１６  受面
１８  浮止部材
１９  凹部
２８  連結孔
【図１】
0003604218.tif 000002
【図２】
0003604218.tif 000003
【図３】
0003604218.tif 000004
【図４】
0003604218.tif 000005
【図５】
0003604218.tif 000006
【図６】
0003604218.tif 000007
【図７】
0003604218.tif 000008
【図８】
0003604218.tif 000009
【図９】
0003604218.tif 000010